(57)【要約】【課題】記録装置に搭載される表示装置において、より視野角の広い表示装置を提供すること。【解決手段】プリンタ１は、ホストコンピュータと接続することなく、メモリカード１４から読み出した画像データ（静止画像又は動画像）を印刷可能なスタンドアロン型である。プリンタ１は、メモリカード１４を挿し込むためのカードスロット１６を有する読み出し装置１５を搭載する。操作パネル３は、液晶ディスプレイ１１と操作部１２とを備える。液晶ディスプレイ１１はモノクロ液晶であり、メニュー画面をモノクロ表示する。メニュー画面では、画像データの階調値または色バランス値の変更等を設定可能である。プリンタ１の本体２には、表示装置としての有機ＥＬディスプレイ１７が設けられている。有機ＥＬディスプレイ１７の表示パネル部１８には、メモリカード１４から読み出した画像がプレビューとして表示される。【選択図】        図１
2004241199.tif 000002
【特許請求の範囲】
【請求項１】
記録装置に搭載される表示装置であって、この表示装置を有機ＥＬディスプレイで構成したことを特徴とする表示装置。
【請求項２】
記録装置に搭載される表示装置を有機ＥＬディスプレイで構成したことを特徴とする記録装置。
【請求項３】
請求項２に記載の記録装置において、
印刷の対象となる画像を前記表示装置に表示し、この表示された画像の印刷を実行することを特徴とする記録装置。
【請求項４】
請求項３に記載の記録装置において、
前記表示装置に表示された画像の階調または色バランスを変更可能にする操作手段と、
前記階調または色バランスが変更された画像を記憶する画像記憶手段と、
前記画像記憶手段に記憶された変更後の画像を前記表示装置に表示する表示手段とを有し、
前記変更後の画像が印刷可能であることを特徴とする記録装置。
【請求項５】
請求項３又は４に記載の記録装置において、
前記画像は、静止画像又は動画像であることを特徴とする記録装置。
【請求項６】
請求項５に記載の記録装置において、
動画像の一時点における画像をキャプチャして静止画像として記憶するキャプチャ手段と、
前記静止画像を前記表示装置に表示する静止画像表示手段と、
前記静止画像の印刷を実行する印刷実行手段と
を有することを特徴とする記録装置。
【請求項７】
請求項２〜６のいずれかに記載の記録装置において、
記憶メディアから画像に対応するデータの読み出しを行う、データ読み出し手段をさらに有することを特徴とする記録装置。
【請求項８】
請求項２〜７のいずれかに記載の記録装置において、
前記記録装置はインクジェットプリンタであることを特徴とする記録装置。
【請求項９】
請求項２〜７のいずれかに記載の記録装置において、
前記記録装置はレーザプリンタであることを特徴とする記録装置。
【請求項１０】
記録装置に搭載される表示装置を有機ＥＬディスプレイで構成した記録装置の制御方法であって、
前記表示装置に表示された画像の階調値または色バランスを変更する段階と、
前記階調または色バランスが変更された画像を前記記録装置の画像記憶手段に記憶する段階と、
前記画像記憶手段に記憶された変更後の画像を前記表示装置に表示する段階とを有することを特徴とする記録装置の制御方法。
【請求項１１】
請求項１０に記載の記録装置の制御方法において、
前記表示装置に表示された画像の印刷を実行する段階をさらに有することを特徴とする記録装置の制御方法。
【発明の詳細な説明】
【０００１】
【発明の属する技術分野】
本発明は、記録装置に搭載される表示装置、表示装置を搭載した記録装置、及びその記録装置の制御方法に関する。
【０００２】
【従来の技術】
従来、メモリカードから直接画像データを読み取って、パソコンを通さずとも印刷処理できる、いわゆるスタンドアロン型プリンタが知られている。このスタンドアロン型プリンタは、一般にデジタルカメラ等で撮影した画像を印刷する場合に用いられることが多く、デジタルカメラに備え付けられたメモリカードをプリンタのカードスロットに差し込み、操作パネルでプリントする画像や枚数を指定して印刷処理が実行される（特許文献１）。
【０００３】
【特許文献１】
特開平１０−１２６７２４号公報
【０００４】
【発明が解決しようとする課題】
ところで、スタンドアロン型プリンタには、画像表示用のカラー液晶ディスプレイを装備するものがある。液晶ディスプレイには、ユーザが操作パネルで設定した画像が、プレビュー画面として表示され、ユーザはモニタを見ることによってパソコンがなくても、印刷前に画像を確認することができる。
【０００５】
しかしながら、このようなカラー液晶ディスプレイは、視野角が６０°程度と狭いため、ユーザは限られた角度の範囲内で、モニタを見なければならない。このため、ユーザは限られた位置でプリンタを操作しなければならず不便であった。
【０００６】
また、液晶ディスプレイでは、液晶への電圧印加及びバックライトの駆動のために高電圧が必要になる。上記スタンドアロン型プリンタでは、液晶用の画素駆動回路を駆動するために、例えば＋３２Ｖ、−３２Ｖの出力電圧を生成する昇圧回路が必要であった。このため、このような昇圧回路を設けるためにスタンドアロン型プリンタが大型化する傾向にあり、また回路構成が複雑になるという問題があった。
【０００７】
また、上記スタンドアロン型プリンタに使用される液晶ディスプレイで、色調を変化させることが困難であった。即ち、液晶ディスプレイは交流駆動であるため、表示画面の色調を変化させる場合には、電源の出力電圧をＲＧＢの色ごとに変化させるための調整機構を設けなければならず、電源構成が複雑となるという問題があった。
【０００８】
本発明は上記の問題点を解消するためになされたものであって、その目的は、記録装置に搭載される表示装置において、より視野角の広い表示装置を提供することにある。また、本発明の目的は、簡易な回路構成による記録装置に搭載される表示装置を提供することにある。また、本発明の目的は、簡易な電源構成により、表示画面の色調の変化を可能とする記録装置に搭載される表示装置を提供することにある。
【０００９】
【課題を解決するための手段】
本発明における記録装置に搭載される表示装置は、有機ＥＬディスプレイで構成されている。
【００１０】
これによれば、より視野角の広い表示装置が得られる。また、有機ＥＬを駆動するために高電圧に昇圧するための昇圧回路を設ける必要がなく、簡易な回路構成による表示装置が得られる。
【００１１】
本発明における記録装置において、記録装置に搭載される表示装置を有機ＥＬディスプレイで構成されている。
これによれば、より視野角の広い表示装置が搭載された記録装置が得られる。また、有機ＥＬを駆動するために高電圧に昇圧するための昇圧回路を設ける必要がなく、簡易な回路構成による記録装置が得られる。
【００１２】
本発明における記録装置は、印刷の対象となる画像を前記表示装置に表示し、この表示された画像の印刷を実行する。
これによれば、表示装置に印刷の対象となる画像を表示し、さらにこの画像の印刷を実行することができる。このため、記録装置に搭載された表示装置で画像データを確認しながら印刷を実行することができる。
【００１３】
本発明における記録装置は、前記表示装置に表示された画像の階調または色バランスを変更可能にする操作手段と、前記画像の階調または色バランスが変更された画像を記憶する画像記憶手段と、前記画像記憶手段に記憶された変更後の画像を前記表示装置に表示する表示手段とを有し、前記変更後の画像が印刷可能である。
【００１４】
これによれば、操作手段により画像の階調値または色バランス値を変更することができ、階調値が変更された画像は、画像記憶手段に記憶される。そして、この変更後の画像は表示手段により表示装置に表示される。特に表示装置が有機ＥＬディスプレイで構成されているため、表示画面の色調を変化させる場合に、電源の出力電圧を変化させるための調整機構を特別に設ける必要がなく、簡易な電源構成による表示装置が得られる。
【００１５】
本発明における記録装置において、前記画像は、静止画像又は動画像である。
これによれば、表示装置に静止画像又は動画像を表示させることができる。特に、有機ＥＬ素子の応答性が高いため、画像の表示速度が速く、高品質な動画像の表示が可能となる。
【００１６】
本発明における記録装置は、動画像の一時点における画像をキャプチャして静止画像として記憶するキャプチャ手段と、前記静止画像を前記表示装置に表示する静止画像表示手段と、前記静止画像の印刷を実行する印刷実行手段とを有する。
【００１７】
これによれば、表示装置に表示させた動画をキャプチャして静止画像として記憶し、この静止画像が静止画像表示手段により表示装置に表示される。そして、この静止画像が印刷実行手段により印刷される。従って、表示装置に動画像を表示させながら、動画像のうち印刷を希望する一時点における画像をキャプチャし、印刷することができる。
【００１８】
本発明における記録装置は、記憶メディアから画像に対応するデータの読み出しを行う、データ読み出し手段をさらに有する。
これによれば、画像に対応するデータの読み出し手段により、記憶メディアから画像が読み出される。また、読み出された画像が表示装置に表示される。従って、画像に対応するデータの読み出し手段により読み出された画像を直接表示装置に表示して印刷を実行することができる。
【００１９】
本発明における記録装置において、前記記録装置はインクジェットプリンタである。
これによれば、インクジェットプリンタにおいて本発明の上述の作用効果のいずれかが得られる。
【００２０】
本発明における記録装置において、前記記録装置はレーザプリンタである。
これによれば、レーザプリンタにおいて本発明の上述の作用効果のいずれかが得られる。
【００２１】
本発明における記録装置の制御方法は、記録装置に搭載される表示装置を有機ＥＬディスプレイで構成した記録装置の制御方法であって、前記表示装置に表示された画像の階調値または色バランスを変更する段階と、前記階調または色バランスが変更された画像を前記記録装置の画像記憶手段に記憶する段階と、前記画像記憶手段に記憶された変更後の画像を前記表示装置に表示する段階とを有する。
【００２２】
これによれば、画像の階調値または色バランス値を変更することができ、階調または色バランスが変更された画像は、画像記憶手段に記憶される。そして、この変更後の画像は表示手段により表示装置に表示される。特に表示装置が有機ＥＬディスプレイで構成されているため、表示画面の色調を変化させる場合に、電源の出力電圧を変化させるための調整機構を特別に設ける必要がなく、簡易な電源構成による記録装置が得られる。
【００２３】
本発明における記録装置の制御方法は、前記表示装置に表示された画像の印刷を実行する段階をさらに有する。
これによれば、階調値または色バランス値が変更された画像の印刷を実行することができる。
【００２４】
【発明の実施の形態】
以下、本発明を具体化したプリンタの一実施形態を図１〜図７に従って説明する。
【００２５】
図１は、プリンタ１の斜視図である。記録装置としてのプリンタ１は、インクジェットプリンタであって、本体２の上面右側に操作手段としての操作パネル３を備える。本体２の背面側には自動給紙装置４のシートフィーダ５及びロール紙支持部６が設けられ、シートフィーダ５にセットされた単票紙、又はロール紙支持部６にセットされたロール紙が本体２内部に給紙される。本体２の中央に設けられたカバー７の下方には、印刷実行手段としての印刷機構が搭載され、印刷機構の作動により印刷された用紙８が、本体２の前側下部の排紙口９から排出される。
【００２６】
操作パネル３は、液晶ディスプレイ１１と、複数の操作スイッチ（操作キー）からなる操作部１２とを備えている。液晶ディスプレイ１１はモノクロ液晶であり、図示しないメニュー画面をモノクロ表示する。メニュー画面には、例えば用紙種類（単票紙又はロール紙）、用紙サイズ（Ａ４等）、レイアウト、画像データ選択、印刷枚数、画像データの階調値補正等を、ユーザがマニュアル選択できるように表示される。また、操作部１２には、プリンタ１に電源を投入するための電源スイッチ１３ａと、エラー発生時に押されるメンテナンススイッチ１３ｂと、ロール紙を操作するときに押されるロール紙スイッチ１３ｃとが設けられている。なお、電源スイッチ１３ａが押されると、プリンタ１の電源回路５０（図４参照）が駆動され、プリンタ１の電源が投入される。
【００２７】
プリンタ１は、記憶メディアとしてのデジタルカメラ又はデジタルビデオカメラ用のメモリカード１４を挿し込むためのカードスロット１６を有する読み出し装置１５を搭載している。読み出し装置１５は、画像読み出し手段を構成する。なお、メモリカード１４から、読み出し可能な画像データは、静止画像（例えば、ｊｐｅｇ形式、ｇｉｆ形式、ｔｉｆｆ形式、ｂｍｐ形式等のファイル。）及び動画像（例えば、ｍｐｅｇ形式、ｍｏｖ形式、ａｖｉ形式等のファイル。）のいずれかである。このような構成により、プリンタ１は、ホストコンピュータ（ＰＣ）と接続することなく、メモリカード１４から読み出した画像データを印刷可能なスタンドアロン型である（なお、このプリンタ１は、ホストコンピュータ（ＰＣ）との接続による印刷の実行もできるように構成されている。）。メモリカード１４は、その形態（形状や端子箇所等）の違いによって複数種のカード（例えば、コンパクトフラッシュ（Ｒ）、スマートメディア（Ｒ）、メモリスティック（Ｒ）等）が使用される。読み出し装置１５のカードスロット１６は、形態の異なる複数種のメモリカード１４をアダプタなしで挿着可能となっている。
【００２８】
プリンタ１の本体２の上部には、表示装置としての有機ＥＬディスプレイ１７が取り付けられている。有機ＥＬディスプレイ１７は、プリンタ１の本体２から着脱可能に設けられており、プリンタ１と有機ＥＬディスプレイ１７とは、図示しない接続ケーブルにより電気的に接続されている。有機ＥＬディスプレイ１７の表示パネル部１８には、メモリカード１４から読み出した画像がプレビューとしてカラー表示される。
【００２９】
図２は、操作パネル３の主要部を示す平面図である。操作部１２には各種操作スイッチ１３ａ〜１３ｃの他に、印刷開始スイッチ１９、中止スイッチ２０、上スイッチ２１、下スイッチ２２、決定スイッチ２３、及び戻りスイッチ２４が設けられている。印刷開始スイッチ１９は、画像の印刷を開始するときに押される。画像データが動画像であるときに印刷開始スイッチ１９が押されると、その時点で表示パネル部１８に表示されていた画像がキャプチャされて、静止画像として印刷が開始される。中止スイッチ２０は、実行中の印刷を中止するときや、非印刷状態のときに液晶ディスプレイ１１での入力内容（選択項目、数値等）を破棄するときに押される。上スイッチ２１及び下スイッチ２２は、液晶ディスプレイ１１でメニュー選択や各種設定項目を選択する際のカーソル移動や、入力すべき数値の増減を行うときに操作される。例えば、上スイッチ２１が押されると液晶ディスプレイ１１上のカーソルが上方向に移動し、下スイッチ２２が押されるとカーソルが下方向に移動する。
【００３０】
また、決定スイッチ２３は液晶ディスプレイ１１の表示を次画面に進めたり、液晶ディスプレイ１１で入力した設定内容を確定したりするときに押される。戻りスイッチ２４は、液晶ディスプレイ１１を初期画面に戻すときや、液晶ディスプレイ１１の表示を一つ前の画面に戻すとき等に押される。
【００３１】
図３は、プリンタ１の制御部１０における電気的構成図である。制御部１０には、ＣＰＵ２５と、ＣＰＵ２５にバス２６を介して接続されたＲＯＭ２７、ＲＡＭ２８、フラッシュメモリ（ＥＥＰＲＯＭ）２９、及びＡＳＩＣ（Ａｐｐｌｉｃａｔｉｏｎ  Ｓｐｅｃｉｆｉｃ    ＩＣ（特定用途向けＩＣ））３０が搭載されている。ＲＯＭ２７には、ＣＰＵ２５により実行される制御プログラム、液晶ディスプレイ１１にメニュー画面を表示するためのメニュー表示用データ等が記憶されている。ここで、制御プログラムには、操作パネル３の液晶ディスプレイ１１や有機ＥＬディスプレイ１７の表示制御を行うための表示用の制御プログラムや、動画像を有機ＥＬディスプレイ１７にて再生するための動画像再生プログラムが含まれる。ＲＡＭ２８には、ホストコンピュータ（ＰＣ）に接続された場合における、ホストコンピュータ（ＰＣ）から受信した印刷データや、メモリカード１４から読み込まれた画像データが印刷データに変換される印刷処理過程で生成される各種データが記憶される。さらにＲＡＭ２８には、印刷実行前に印刷画像やレイアウトを確認するためのプレビュー画面を表示パネル部１８に表示するためにメモリカード１４から読み出された画像データが一時記憶される。さらに、ＲＡＭ２８は、操作パネル３にて変更された画像の階調値または色バランス値を一時記憶する。ＲＡＭ２８は、画像記憶手段を構成する。なお、ＲＡＭ２８は、図３では１つのブロックとして示しているが、実際には複数のＲＡＭ部品からなり、その１つは表示パネル部１８に画像を表示するための画像を格納するＲＡＭ領域として使用される。
【００３２】
ＣＰＵ２５は、操作パネル３を制御するＵＩ基板３１（ユーザインターフェース基板）と接続され、ＲＯＭ２７の制御プログラムを実行することでＵＩ基板３１を介して液晶ディスプレイ１１の表示制御を行う。また、ＣＰＵ２５は、各種操作スイッチ１３ａ〜１３ｃ，１９〜２４から入力する操作信号に基づいて各種処理（印刷条件設定処理、印刷処理等）を実行する。例えば液晶ディスプレイ１１のメニュー画面で、各種操作スイッチ２１〜２４を操作してメニュー項目やその下位項目を選択し確定することで、レイアウト、印刷枚数等の各種印刷条件を設定する。例えば、プリセットされた複数枚の印刷画像は、順番に表示パネル部１８にプレビュー表示させることができ、表示パネル部１８で印刷画像を確認した後、印刷開始スイッチ１９が押されると、その設定された印刷条件情報に基づく印刷処理が実行される。
【００３３】
ＡＳＩＣ３０は、ＣＰＵ２５からの制御信号及び印刷データに基づき印刷制御を実行するもので、本実施形態では印刷制御部３２と画像制御部３３とを備えている。画像制御部３３は、メモリカード１４の画像データを印刷処理する際、メモリカード１４から読み出した画像データに対し、ＲＧＢデータからＣＭＹＫデータへの変換処理を実行する。本実施形態では、ＣＰＵ２５がソフトウェア処理により画像処理の一部を担当し、画像制御部３３とＣＰＵ２５とによって、解像度変換処理、色変換処理、ハーフトーン処理、各色のインクドットデータをドット形成順序を考慮しながら並び替えるインターレース処理（マイクロウィーブ（Ｍｉｃｒｏ  Ｗｅａｖｅ  ）処理）が実行される。
【００３４】
一方、印刷制御部３２は、プリンタ１がホストコンピュータ（ＰＣ）から受信した印刷データ、または画像制御部３３によって画像データから変換された印刷データに基づき、キャリッジ制御及びヘッド制御（インク吐出制御）を実行する。印刷制御部３２は、インクジェット式プリンタにおいて印刷機構を駆動制御する処理回路であって、その印刷機構を構成する記録ヘッド３４（例えば、圧電式ヘッド）、キャリッジモータ３５、紙送りモータ３６、ロール紙駆動モータ３７等と電気的に接続されている。
【００３５】
また、バス２６にはインタフェイス（Ｉ／Ｆ）３９を介して読み出し装置１５が接続されている。読み出し装置１５によって読み取られた画像データは、バス２６を介して、有機ＥＬディスプレイ１７にて表示される。
【００３６】
本実施形態では、液晶ディスプレイ１１のメニューで、画像の選択やレイアウトの選択等の詳細設定をすることで画像データを設定することができる。また、液晶ディスプレイ１１のメニューでは、画像データのＲＧＢの階調値または色バランス値をそれぞれ変更することができる。また、プリンタ１には、ユーザがよく使用する所定のレイアウトが、予めデフォルトとして格納されている。プリンタ１で設定された印刷画像のレイアウト情報は、印刷属性情報（印刷付属情報）として、印刷枚数や用紙設定等の各種設定情報と共にフラッシュメモリ２９に記憶される。また、デジタルカメラには印刷する画像の選択やレイアウトの選択を予め設定（印刷設定）できる機能を有するものがあり、この種のデジタルカメラで印刷設定された場合のメモリカード１４には、撮影された画像データと、レイアウト情報を含む印刷属性情報（印刷付属情報）とが記憶されている。印刷画像を表示パネル部１８にプレビュー表示するときは、ＣＰＵ２５が所定のタスク処理を実行することによって、メモリカード１４またはＲＯＭ２７から取得した画像データと印刷属性情報とから印刷画像表示データを生成してその印刷画像表示データをＲＡＭ２８に格納する。
【００３７】
有機ＥＬディスプレイ１７における画像データの表示は、次のように行われる。まず、メモリカード１４がカードスロット１６に挿入された状態で、画像データの読み出しが開始される。画像データが静止画像である場合は、上スイッチ２１又は下スイッチ２２を押すと、表示パネル部１８には、複数の画像データが保存されている順序に３枚分が表示パネル部１８上に小さく表示される。そして、一つの画像データが選択された状態で、決定スイッチ２３が押されると、その画像が表示パネル部１８上に大きく表示される。
【００３８】
一方、画像データが動画像である場合は、決定スイッチ２３が押されると、動画像がキャプチャされて静止画像として表示パネル部１８に表示される。この状態で、印刷開始スイッチ１９を押せば静止画像の印刷が開始され、中止スイッチ２０を押せばキャプチャが解除されて動画像が再生される。なお、有機ＥＬディスプレイ１７は、表示手段及び静止画像表示手段を構成する。また、操作パネル３、ＣＰＵ２５及びＲＡＭ２８は、キャプチャ手段を構成する。
【００３９】
次に、有機ＥＬディスプレイ１７の回路構成について説明する。
図４は、有機ＥＬディスプレイ１７のシステム構成を示すブロック回路図を示す。図５は、表示パネル部の回路構成を示す回路図を示す。図６は、画素回路とプリチャージ回路の内部回路構成を示す回路図を示す。
【００４０】
図４において、有機ＥＬディスプレイ１７は、表示パネル部１８、データ線駆動回路５２、走査線駆動回路５３、メモリ５４、発振回路５５、電源回路５６及び制御回路５７を備えている。有機ＥＬディスプレイ１７の各構成要素１８，５２〜５７は、それぞれが独立した電子部品によって構成されていてもよい。例えば、各構成要素１８，５２〜５７が１チップの半導体集積回路装置によって構成されていてもよい。また、各構成要素１８，５２〜５７の全部又は一部が一体となった電子部品として構成されていてもよい。例えば、表示パネル部１８に、データ線駆動回路５２と走査線駆動回路５３とが一体的に形成されていてもよい。各構成要素５２〜５６の全部又は一部がプログラマブルなＩＣチップで構成され、その機能がＩＣチップに書き込まれたプログラムによりソフトウェア的に実現されてもよい。
【００４１】
表示パネル部１８は、図５に示すように、マトリクス状に配列された複数の電子回路としての画素回路６０を有している。つまり、各画素回路６０は、その列方向に沿って延びる複数のデータ線Ｘ１〜Ｘｍ（ｍは整数）と、行方向に沿って延びる複数の走査線Ｙ１〜Ｙｎ（ｎは整数）との間にそれぞれ接続されることにより、マトリクス状に配列されている。各画素回路６０は、電流駆動素子として発光層が有機材料で構成された有機ＥＬ素子６１を有している。なお、画素回路６０内に形成される後述するトランジスタは、通常はＴＦＴで構成している。
【００４２】
データ線駆動回路５２には、各データ線Ｘ１〜Ｘｍに対してデータ電圧生成回路６３がそれぞれ設けられている。各データ電圧生成回路６３は、それぞれ対応するデータ線Ｘ１〜Ｘｍを介して画素回路６０に電気信号、即ち本実施形態ではプログラム値としてのデータ信号（データ電圧Ｖｄａｔａ）を供給する。画素回路６０は、このデータ電圧Ｖｄａｔａに応じて同画素回路６０の内部状態が設定されると、これに応じて有機ＥＬ素子６１に流れる電流値が制御され、同有機ＥＬ素子６１の輝度階調が制御される。電源回路５６は、プリンタ１の電源回路５０からの電源を受けて、有機ＥＬディスプレイ１７の各構成要素に駆動電源を供給する。ここで、有機ＥＬ素子６１を発光させるための駆動電圧は３Ｖ程度と低いため、電源回路５６は、データ線駆動回路５２及び走査線駆動回路５３と共通の駆動電圧（例えば、５Ｖ）により駆動させることが可能である。従って、プリンタ１の電源回路５０と有機ＥＬディスプレイ１７との間に昇圧用の回路を別途設ける必要がない。
【００４３】
走査線駆動回路５３は、図６に示すように、複数の走査線Ｙｎの中の１本を選択駆動して、１行分の画素回路群を選択する。走査線Ｙ１〜Ｙｎは、それぞれ第１副走査線Ｖａと第２副走査線Ｖｂとから構成されている。走査線駆動回路５３は、第１副走査線Ｖａに第１選択信号ＳＬ１を出力し、第２副走査線Ｖｂに第２選択信号ＳＬ２を出力する。メモリ５４は、制御部１０から供給される表示データを記憶する。発振回路５５は、基準動作信号を有機ＥＬディスプレイ１７の他の構成要素に供給する。
【００４４】
制御回路５７は、各構成要素１８，５２〜５６を統括制御する。制御回路５７は、表示パネル部１８の表示状態を表すメモリ５４に記憶した制御部１０からの表示データ（画像データ）を、各有機ＥＬ素子６１の発光の輝度階調を表すマトリクスデータに変換する。マトリクスデータは、１行分の画素回路群を順次選択するための走査線駆動信号と、選択された画素回路群の有機ＥＬ素子６１の輝度を設定するデータ電圧Ｖｄａｔａのレベルを決定するデータ線駆動信号とを含む。そして、走査線駆動信号は、走査線駆動回路５３に供給する。また、データ線駆動信号は、データ線駆動回路５２に供給される。
【００４５】
次に、画素回路６０の内部回路構成について、図６に従って説明する。説明の便宜上、ｍ番目のデータ線Ｘｍとｎ番目の走査線Ｙｎとの交点に配置され、両データ線Ｘｍと走査線Ｙｎとの間に接続された画素回路６０について説明する。
【００４６】
画素回路６０は、本実施形態では電圧駆動型の画素回路であって、電流駆動素子としての有機ＥＬ素子６１とプログラミング回路６２とを備えている。プログラミング回路６２は、第２のトランジスタとしての駆動用トランジスタＱ１１、第１のトランジスタとしてのプログラム用トランジスタＱ１２、第４のトランジスタとしてのスイッチング用トランジスタＱ１３、第３のトランジスタとしての検出用ゲートトランジスタＱ１４、容量素子としての保持キャパシタＣ１を備えている。
【００４７】
プログラム用トランジスタＱ１２及びスイッチング用トランジスタＱ１３は、ＮチャネルＦＥＴより構成されている。駆動用トランジスタＱ１１及び検出用ゲートトランジスタＱ１４は、ＰチャネルＦＥＴより構成されている。
【００４８】
駆動用トランジスタＱ１１は、ドレインがスイッチング用トランジスタＱ１３を介して有機ＥＬ素子６１の陽極に接続され、ソースが電源線Ｌ１に接続されている。駆動用トランジスタＱ１１のゲートと電源線Ｌ１との間には、保持キャパシタＣ１が接続されている。また、駆動用トランジスタＱ１１のゲートは、プログラム用トランジスタＱ１２を介してデータ線Ｘｍに接続されている。さらに、駆動用トランジスタＱ１１のドレインは、検出用ゲートトランジスタＱ１４を介してデータ線Ｘｍに接続されている。
【００４９】
プログラム用トランジスタＱ１２のゲートは、第１副走査線Ｖａが接続されている。検出用ゲートトランジスタＱ１４のソースは、第１副走査線Ｖａに接続されている。また、スイッチング用トランジスタＱ１３及び検出用ゲートトランジスタＱ１４のゲートは、ともに第２副走査線Ｖｂに接続されている。
【００５０】
次に、上記のように構成した有機ＥＬディスプレイ１７の作用を画素回路６０の動作に従って説明する。
まず、ｎ行目の走査線Ｙｎが選択されて走査線Ｙｎに接続された各画素回路６０か発光動作に入る時、走査線駆動回路５３から走査線Ｙｎの第１副走査線Ｖａに第１選択信号ＳＬ１が出力され、プログラム用トランジスタＱ１２がオンされる。これと同時に、各データ電圧生成回路６３から対応する各画素回路６０の保持キャパシタＣ１にデータ電圧Ｖｄａｔａがそれぞれ供給される。所定時間が経過すると、第１選択信号ＳＬ１が消失し、データ書き込み期間が終了する。この時、各画素回路６０において、保持キャパシタＣ１にデータ電圧Ｖｄａｔａが供給されて、駆動用トランジスタＱ１１は導通状態となるが、スイッチング用トランジスタＱ１３がオフ状態になっているため、有機ＥＬ素子６１には駆動電流は流れない。
【００５１】
やがて、走査線駆動回路５３から走査線Ｙｎの第２副走査線Ｖｂに第２選択信号ＳＬ２が出力され、走査線Ｙｎ上にある各画素回路６０のスイッチング用トランジスタＱ１３をオンさせる。そして、その各画素回路６０において、スイッチング用トランジスタＱ１３のオンに基づいて有機ＥＬ素子６１にデータ電圧Ｖｄａｔａに相対した電流値の駆動電流が供給され、走査線Ｙｎ上にある各画素回路６０の有機ＥＬ素子６１は、データ電圧Ｖｄａｔａに対応した輝度でそれぞれ発光する。
【００５２】
第２選択信号ＳＬ２が出力してから所定時間が経過すると、同第２選択信号ＳＬ２が消失し、走査線Ｙｎ上にある各画素回路６０のスイッチング用トランジスタＱ１３がオフする。このスイッチング用トランジスタＱ１３のオフに基づいて有機ＥＬ素子６１に供給される駆動電流が遮断され、走査線Ｙｎ上にある各画素回路６０の有機ＥＬ素子６１は発光を停止する。即ち、走査線Ｙｎ上にある各画素回路６０の発光期間は終了し、次の発光のためのデータ書き込み期間の開始を待つ。
【００５３】
この動作を繰返すことによって、各走査線Ｙ１〜Ｙｎ上にある各画素回路６０の有機ＥＬ素子６１はデータ電圧Ｖｄａｔａに対応した輝度でそれぞれ発光制御され、有機ＥＬディスプレイ１７はプリンタ１からの表示データ基づく画像を表示する。
【００５４】
本実施形態のプリンタ１及び有機ＥＬディスプレイ１７によれば、以下のような効果を得ることができる。
（１）本実施形態では、プリンタ１に搭載される表示装置は、有機ＥＬディスプレイ１７で構成されている。このため、より視野角の広い表示装置が得られる。図７は、有機ＥＬディスプレイ１７及び従来の液晶ディスプレイの視野角の対比を示す説明図である。同図によれば、従来の液晶ディスプレイの視野角は６０°程度と狭いのに対し、有機ＥＬディスプレイの視野角は１７０°程度と非常に広くなっている。このため、ユーザは広範囲で、有機ＥＬディスプレイ１７を見ることができ、プリンタを容易に操作することができる。また、有機ＥＬディスプレイ１７を使用するため、有機ＥＬを駆動するために特別な昇圧回路を設ける必要がなく、簡易な回路構成によるプリンタ１が得られる。
【００５５】
（２）本実施形態では、操作パネル３により画像の階調値または色バランス値を変更することができ、階調値または色バランス値が変更された画像が、有機ＥＬディスプレイ１７に表示される。そして、この画像をプリンタ１にて印刷することができる。特に表示装置が有機ＥＬディスプレイ１７で構成されているため、表示画面の色調を変化させる場合に、電源の出力電圧を変化させるための調整機構を特別に設ける必要がなく、簡易な電源構成による表示装置が得られる。
【００５６】
（３）本実施形態では、有機ＥＬディスプレイ１７には、画像として、静止画像及び動画像が表示可能である。特に、有機ＥＬ素子の応答性が高いため、画像の表示速度が速く、高品質な動画像の表示が可能となる。さらに、本実施形態のプリンタ１では、動画像の一時点における画像をキャプチャして静止画像として表示することができる。このため、有機ＥＬディスプレイ１７に表示させた動画をキャプチャして静止画像として表示される。従って、有機ＥＬディスプレイ１７に動画像を表示させながら、動画像のうち印刷を希望する一時点における画像をキャプチャし、印刷することができる。
【００５７】
（４）本実施形態では、読み出し装置１５からメモリカード１４の画像データの読み出しを行い、有機ＥＬディスプレイ１７に表示される。従って、スタンドアロン式のプリンタ１において、ホストコンピュータ（ＰＣ）に接続しなくても、画像データを直接有機ＥＬディスプレイ１７に表示して印刷を実行することができる。
【００５８】
なお、上記実施形態は、以下のように変更してもよい。
○上記実施形態では、メモリカード１４から読み出された画像データの階調値または色バランス値を、操作パネル３にて所望の階調値または色バランス値に変更するようにした。そして、その変更された画像データを各有機ＥＬ素子６１の発光の輝度階調を表すマトリクスデータに変換するようにした。
これを、メモリカード１４から読み出された画像データの階調値または色バランス値を所望の階調値または色バランス値に変更することなく、各有機ＥＬ素子６１の発光の輝度階調を表すマトリクスデータに変換する。そして、前記マトリクスデータに基づいて各有機ＥＬ素子６１を発光させるときの電源線Ｌ１の電位を所望の階調または色バランスとなるように変更するようにしてもよい。つまり、メモリカード１４から読み出された画像データの階調値または色バランス値を所望の階調値または色バランス値に変更するのではなく、電源線Ｌ１の電位を所望の階調または色バランスとなるように変更するようにしてもよい。
【００５９】
○上記実施形態では、プリンタ１の本体２と有機ＥＬディスプレイ１７とが着脱可能に設けられる構成としたが、有機ＥＬディスプレイを本体２と一体型にしたものであってもよい。また、インクジェットプリンタの形態は、上記実施形態に限られず、他のものであってもよい。
【００６０】
○上記実施形態では、有機ＥＬディスプレイ１７として、プリンタ１に接続される専用のものを使用したが、有機ＥＬディスプレイであれば、汎用のものと接続できるようにしてもよい。例えば、有機ＥＬディスプレイを備えた携帯電話や携帯情報端末（ＰＤＡ）をプリンタ１に接続可能に搭載できるスロット等を設けてもよい。
【００６１】
○上記実施形態において、有機ＥＬディスプレイ１７に動画像を表示する際にその音声を再生する音声出力手段を設けてもよい。音声出力手段としては、プリンタ１に設けられたスピーカ、有機ＥＬディスプレイ１７に設けられたスピーカ、又は音声出力用端子等で構成してもよい。このように構成すれば、ユーザは、プリンタ１にて、動画像のみならずその音声も確認することができる。
【００６２】
○上記実施形態において、プリンタ１にネットワーク通信機能を持たせてもよい。この場合、ネットワーク通信機能としては、モデム、モデムカード、ＰＨＳカード等に接続してネットワークと通信する場合でも、携帯電話や携帯情報端末（ＰＤＡ）等と接続可能としてネットワークと通信する場合でもよい。この場合、有機ＥＬディスプレイ１７に表示された画像データを他のコンピュータ、携帯電話、ＰＤＡ等に送信することが可能となる。
【００６３】
○上記実施形態では、有機ＥＬディスプレイ１７に画像データとして静止画像及び動画像再生の両方を表示できる構成としたが、いずれか一方のみを表示できるものであってもよい。
【００６４】
○上記実施形態では、記録装置としてインクジェットプリンタを使用したが、有機ＥＬディスプレイをレーザプリンタ等他のプリンタに使用してもよい。また、プリンタ、コピー、ファックス、スキャナ等の機能を備えた複合機に有機ＥＬディスプレイを設けてもよい。なお、本明細書において記録装置には、印刷機能を有する複合機も含まれるものとする。
【図面の簡単な説明】
【図１】本発明の一実施形態におけるプリンタの斜視図。
【図２】操作パネルの主要部を示す平面図。
【図３】プリンタの電気的構成図。
【図４】有機ＥＬディスプレイの回路構成を示すブロック回路図。
【図５】表示パネル部とデータ線駆動回路の内部回路構成を示すブロック回路図。
【図６】画素回路の内部構成を示す回路図。
【図７】ディスプレイの視野角の対比を示す説明図。
【符号の説明】
１  記録装置としてのプリンタ
３  操作手段としての操作パネル
１４  記憶メディアとしてのメモリカード
１５  画像データ読み出し手段としての読み出し装置
１７  表示装置としての有機ＥＬディスプレイ
２８  画像記憶手段としてのＲＡＭ
【図１】
2004241199.tif 000003
【図２】
2004241199.tif 000004
【図３】
2004241199.tif 000005
【図４】
2004241199.tif 000006
【図５】
2004241199.tif 000007
【図６】
2004241199.tif 000008
【図７】
2004241199.tif 000009